【手続補正書】
【提出日】平成27年1月28日(2015.1.28)
【手続補正１】
【補正対象書類名】特許請求の範囲
【補正対象項目名】請求項１
【補正方法】変更
【補正の内容】
【請求項１】
下記式（１）、（２）及び（３）にそれぞれ示すパーフルオロポリエーテル基を有するシラン化合物のうちの少なくとも１つの化合物と、
下記式（４）に示すモノマーの単独重合物である含フッ素アクリル系単独重合体と
から成る撥液膜：
【化１】
2013170170.tif 000001
（式（１）中、ＲｆＩはパーフルオロポリエーテル基を表し、ＲＩは加水分解性置換基を表し、ＸＩは炭素数１以上１２以下の有機基を表し、ＹＩは非加水分解性置換基を表し、ａは１以上３以下の整数を表す）、
【化２】
2013170170.tif 000002
（式（２）中、ＲｆＩＩはパーフルオロポリエーテル基を表し、ＲＩＩおよびＲＩＩＩは各々独立して加水分解性置換基を表し、ＸＩＩおよびＸＩＩＩは各々独立して炭素数１以上１２以下の有機基を表し、ＹＩＩおよびＹＩＩＩは各々独立して非加水分解性置換基を表し、ｂおよびｃは各々独立して１以上３以下の整数を表す）、
【化３】
2013170170.tif 000003
（式（３）中、ＲｆＩＩＩはパーフルオロポリエーテル基を表し、ＲＩＶは加水分解性置換基を表し、ＸＩＶは炭素数１以上１２以下の直鎖状飽和炭化水素基を表し、ＹＩＶは非加水分解性置換基を表し、Ｚは水素原子またはアルキル基を表し、ｄは１以上３以下の整数を表し、ｍは正の整数を表し、ただし、−ＳｉＲＩＶｄＹＩＶ３−ｄは、ＸＩＶ中のＺ側の末端炭素原子に結合する）、
【化４】
2013170170.tif 000004
（式（４）中、ＡＩはＨまたはＣＨ３を表し、ＡＩＩは炭素数１以上３以下の直鎖状飽和炭化水素基を表し、ＲｆＩＶは直鎖状または分岐鎖状のパーフルオロアルキル基を表す）。
【手続補正２】
【補正対象書類名】特許請求の範囲
【補正対象項目名】請求項２
【補正方法】変更
【補正の内容】
【請求項２】
下記式（１）、（２）及び（３）にそれぞれ示すパーフルオロポリエーテル基を有するシラン化合物のうちの少なくとも１つの化合物と、
下記式（４）に示すモノマーおよび下記式（５）に示すモノマーの共重合物である含フッ素アクリル系共重合体と
から成る撥液膜：
【化５】
2013170170.tif 000005
（式（１）中、ＲｆＩはパーフルオロポリエーテル基を表し、ＲＩは加水分解性置換基を表し、ＸＩは炭素数１以上１２以下の有機基を表し、ＹＩは非加水分解性置換基を表し、ａは１以上３以下の整数を表す）、
【化６】
2013170170.tif 000006
（式（２）中、ＲｆＩＩはパーフルオロポリエーテル基を表し、ＲＩＩおよびＲＩＩＩは各々独立して加水分解性置換基を表し、ＸＩＩおよびＸＩＩＩは各々独立して炭素数１以上１２以下の有機基を表し、ＹＩＩおよびＹＩＩＩは各々独立して非加水分解性置換基を表し、ｂおよびｃは各々独立して１以上３以下の整数を表す）、
【化７】
2013170170.tif 000007
（式（３）中、ＲｆＩＩＩはパーフルオロポリエーテル基を表し、ＲＩＶは加水分解性置換基を表し、ＸＩＶは炭素数１以上１２以下の直鎖状飽和炭化水素基を表し、ＹＩＶは非加水分解性置換基を表し、Ｚは水素原子またはアルキル基を表し、ｄは１以上３以下の整数を表し、ｍは正の整数を表し、ただし、−ＳｉＲＩＶｄＹＩＶ３−ｄは、ＸＩＶ中のＺ側の末端炭素原子に結合する）、
【化８】
2013170170.tif 000008
（式（４）中、ＡＩはＨまたはＣＨ３を表し、ＡＩＩは炭素数１以上３以下の直鎖状飽和炭化水素基を表し、ＲｆＩＶは直鎖状または分岐鎖状のパーフルオロアルキル基を表す）、
【化９】
2013170170.tif 000009
（式（５）中、ＡＩＩＩはＨまたはＣＨ３を表し、ＡＩＶは炭素数１以上３０以下のアルキル基、またはオキシラン環を有する基を表す）。
【手続補正３】
【補正対象書類名】特許請求の範囲
【補正対象項目名】請求項６
【補正方法】変更
【補正の内容】
【請求項６】
下記式（１）〜（３）にそれぞれ示すパーフルオロポリエーテル基を有するシラン化合物のうちの少なくとも１つの化合物と、
下記式（４）に示すモノマーの単独重合物である含フッ素アクリル系単独重合体と、
を含む混合物を得る工程、並びに、
該混合物の固化物である撥液膜を得る工程
を含む撥液膜の製造方法：
【化１１】
2013170170.tif 000010
（式（１）中、ＲｆＩはパーフルオロポリエーテル基を表し、ＲＩは加水分解性置換基を表し、ＸＩは炭素数１以上１２以下の有機基を表し、ＹＩは非加水分解性置換基を表し、ａは１以上３以下の整数を表す）、
【化１２】
2013170170.tif 000011
（式（２）中、ＲｆＩＩはパーフルオロポリエーテル基を表し、ＲＩＩおよびＲＩＩＩは各々独立して加水分解性置換基を表し、ＸＩＩおよびＸＩＩＩは各々独立して炭素数１以上１２以下の有機基を表し、ＹＩＩおよびＹＩＩＩは各々独立して非加水分解性置換基を表し、ｂおよびｃは各々独立して１以上３以下の整数を表す）、
【化１３】
2013170170.tif 000012
（式（３）中、ＲｆＩＩＩはパーフルオロポリエーテル基を表し、ＲＩＶは加水分解性置換基を表し、ＸＩＶは炭素数１以上１２以下の直鎖状飽和炭化水素基を表し、ＹＩＶは非加水分解性置換基を表し、Ｚは水素原子またはアルキル基を表し、ｄは１以上３以下の整数を表し、ｍは正の整数を表し、ただし、−ＳｉＲＩＶｄＹＩＶ３−ｄは、ＸＩＶ中のＺ側の末端炭素原子に結合する）、
【化１４】
2013170170.tif 000013
（式（４）中、ＡＩはＨまたはＣＨ３を表し、ＡＩＩは炭素数１以上３以下の直鎖状飽和炭化水素基を表し、ＲｆＩＶは直鎖状または分岐鎖状のパーフルオロアルキル基を表す）。
【手続補正４】
【補正対象書類名】特許請求の範囲
【補正対象項目名】請求項７
【補正方法】変更
【補正の内容】
【請求項７】
下記式（１）〜（３）にそれぞれ示すパーフルオロポリエーテル基を有するシラン化合物のうちの少なくとも１つの化合物と、
下記式（４）に示すモノマーおよび下記式（５）に示すモノマーの共重合物である含フッ素アクリル系共重合体と、
を含む混合物を得る工程、並びに、
該混合物の固化物である撥液膜を得る工程
を含む撥液膜の製造方法：
【化１５】
2013170170.tif 000014
（式（１）中、ＲｆＩはパーフルオロポリエーテル基を表し、ＲＩは加水分解性置換基を表し、ＸＩは炭素数１以上１２以下の有機基を表し、ＹＩは非加水分解性置換基を表し、ａは１以上３以下の整数を表す）、
【化１６】
2013170170.tif 000015
（式（２）中、ＲｆＩＩはパーフルオロポリエーテル基を表し、ＲＩＩおよびＲＩＩＩは各々独立して加水分解性置換基を表し、ＸＩＩおよびＸＩＩＩは各々独立して炭素数１以上１２以下の有機基を表し、ＹＩＩおよびＹＩＩＩは各々独立して非加水分解性置換基を表し、ｂおよびｃは各々独立して１以上３以下の整数を表す）、
【化１７】
2013170170.tif 000016
（式（３）中、ＲｆＩＩＩはパーフルオロポリエーテル基を表し、ＲＩＶは加水分解性置換基を表し、ＸＩＶは炭素数１以上１２以下の直鎖状飽和炭化水素基を表し、ＹＩＶは非加水分解性置換基を表し、Ｚは水素原子またはアルキル基を表し、ｄは１以上３以下の整数を表し、ｍは正の整数を表し、ただし、−ＳｉＲＩＶｄＹＩＶ３−ｄは、ＸＩＶ中のＺ側の末端炭素原子に結合する）、
【化１８】
2013170170.tif 000017
（式（４）中、ＡＩはＨまたはＣＨ３を表し、ＡＩＩは炭素数１以上３以下の直鎖状飽和炭化水素基を表し、ＲｆＩＶは直鎖状または分岐鎖状のパーフルオロアルキル基を表す）、
【化１９】
2013170170.tif 000018
（式（５）中、ＡＩＩＩはＨまたはＣＨ３を表し、ＡＩＶは炭素数１以上３０以下のアルキル基、またはオキシラン環を有する基を表す）。
【手続補正５】
【補正対象書類名】明細書
【補正対象項目名】０００７
【補正方法】変更
【補正の内容】
【０００７】
上記目的を達成するための本発明の第１の撥液膜は、下記式（１）、（２）及び（３）にそれぞれ示すパーフルオロポリエーテル基を有するシラン化合物のうちの少なくとも１つの化合物と、下記式（４）に示すモノマーの単独重合物である含フッ素アクリル系単独重合体と、から成る撥液膜である。
【手続補正６】
【補正対象書類名】明細書
【補正対象項目名】０００８
【補正方法】変更
【補正の内容】
【０００８】
さらに、本発明の第２の撥液膜は、下記式（１）、（２）及び（３）にそれぞれ示すパーフルオロポリエーテル基を有するシラン化合物のうちの少なくとも１つの化合物と、下記式（４）に示すモノマーおよび下記式（５）に示すモノマーの共重合物である含フッ素アクリル系共重合体と、から成る撥液膜である。
【手続補正７】
【補正対象書類名】明細書
【補正対象項目名】００１９
【補正方法】変更
【補正の内容】
【００１９】
また、本発明の第１の撥液膜の製造方法は、上述した第１の撥液膜を製造する方法であって、前記式（１）〜（３）にそれぞれ示すパーフルオロポリエーテル基を有するシラン化合物のうちの少なくとも１つの化合物と、前記含フッ素アクリル系単独重合体とを含む混合物を得る工程、並びに上記混合物の固化物である撥液膜を得る工程を含む撥液膜の製造方法である。
【手続補正８】
【補正対象書類名】明細書
【補正対象項目名】００２０
【補正方法】変更
【補正の内容】
【００２０】
さらに、本発明の第２の撥液膜の製造方法は、上述した第２の撥液膜を製造する方法であって、前記式（１）〜（３）にそれぞれ示すパーフルオロポリエーテル基を有するシラン化合物のうちの少なくとも１つの化合物と、前記含フッ素アクリル系共重合体とを含む混合物を得る工程、並びに上記混合物の固化物である撥液膜を得る工程を含む撥液膜の製造方法である。